(57)【要約】【課題】多数種のビデオフレームを配信して、ユーザーの指示に応じたビデオフレームを表示するビデオ配信システムを提供する。【解決手段】総合フレーム作成装置１は複数のビデオフレームを取込み、ビデオフレーム毎に予め決められた画面上の座標領域に配置して、１つの総合ビデオフレームを作成する。選択フレーム作成装置２で総合ビデオフレームの決められた座標領域のビデオフレームを切り出し、指示装置３でユーザーがしたい加工（表示／非表示選択、拡大／縮小、ビデオフレームの一部抜き出し等）のビデオフレーム指示により加工されたビデオフレームを指示装置３によりユーザーが指示した画面位置に配置して選択ビデオフレームを作成して、表示器４により表示される多数種ビデオ配信システム。【選択図】図１
2004135017.tif 000002
【特許請求の範囲】
【請求項１】
複数のビデオフレームを取込むビデオ取込み手段と、前記ビデオフレーム毎に予め決められた画面上の座標領域に各ビデオフレームを配置して１つの総合ビデオフレームを作成する総合画面作成手段と、前記総合ビデオフレームを送信するビデオ送信手段と、前記総合ビデオフレームを受信するビデオ受信手段と、前記総合ビデオフレームの決められた座標領域から各ビデオフレームを切り出して選択されたビデオフレームを画面上に配置して選択ビデオフレームを作成する選択画面作成手段とを具備することを特徴とする多数種ビデオ配信システム。
【請求項２】
複数のビデオフレームを取込むビデオ取込み手段と、前記ビデオフレーム毎に予め決められた画面上の座標領域に各ビデオフレームを配置して１つの総合ビデオフレームを作成する総合画面作成手段と、前記総合ビデオフレームを送信するビデオ送信手段と、前記総合ビデオフレームを受信するビデオ受信手段と、ビデオフレームの表示選択を指示する指示手段と、前記総合ビデオフレームの決められた座標領域から各ビデオフレームを切り出して、前記指示手段により選択されたビデオフレームを画面上に配置して選択ビデオフレームを作成する選択画面作成手段とを具備したことを特徴とする多数種ビデオ配信システム。
【請求項３】
更に、前記ビデオ送信手段から送信された総合ビデオフレームを複数に分配する分配手段と、複数の受信手段と選択画面作成手段とを具備し、前記分配手段により分配された総合ビデオフレームをそれぞれ前記複数の受信手段により受信してそれぞれの前記複数の選択画面手段により選択ビデオフレームを作成することを特徴とする請求項１または請求項２記載の多数種ビデオ配信システム。
【請求項４】
前記指示手段はビデオフレームの拡大を指示し、前記選択画面作成手段は、切り出された前記指示手段により拡大する指示をしたビデオフレームを拡大して画面上に配置して選択ビデオフレームを作成することを特徴とする請求項１乃至請求項３記載の多数種ビデオ配信システム。
【請求項５】
前記指示手段はビデオフレームの縮小を指示し、前記選択画面作成手段は、切り出された前記指示手段により縮小する指示をしたビデオフレームを縮小して画面上に配置して選択ビデオフレームを作成することを特徴とする請求項１乃至請求項３記載の多数種ビデオ配信システム。
【請求項６】
前記指示手段はビデオフレームの一部領域の抜き出しを指示し、前記選択画面作成手段は、切り出された前記指示手段により一部領域の抜き出す指示をしたビデオフレームの一部領域を抜き出して画面上に配置して選択ビデオフレームを作成することを特徴とする請求項１乃至請求項３記載の多数種ビデオ配信システム。
【請求項７】
前記指示手段は配置する座標領域を指示し、前記選択画面作成手段は、切り出されたビデオフレームを前記指示手段により指示した座標領域に配置して選択ビデオフレームを作成することを特徴とする請求項１乃至請求項３記載の多数種ビデオ配信システム。
【請求項８】
更に、前記選択ビデオフレームを表示する表示手段とを具備したことを特徴とする請求項１乃至請求項７記載の多数種ビデオ配信システム。
【請求項９】
複数のビデオフレームを取込み、前記ビデオフレーム毎に予め決められた画面上の座標領域に各ビデオフレーム配置して１つの画面を作成した総合ビデオフレームを受信するステップと、受信された前記総合ビデオフレームの決められた座標領域から各ビデオフレームを切り出して選択されたビデオフレームを画面上に配置して選択ビデオフレームを作成するステップとを具備したことを特徴とする多数種ビデオ配信方法。
【請求項１０】
複数のビデオフレームを取込み、前記ビデオフレーム毎に予め決められた画面上の座標領域に各ビデオフレーム配置して１つの画面を作成した総合ビデオフレームを受信するステップと、各ビデオフレームの表示選択指示をするステップと、受信された前記総合ビデオフレームの決められた座標領域から各ビデオフレームを切り出して表示選択指示されたビデオフレームを画面上に配置して選択ビデオフレームを作成するステップとを具備したことを特徴とする多数種ビデオ配信方法。
【請求項１１】
更に、送信された前記総合ビデオフレームを複数に分配するステップを有し、分配された総合ビデオフレームをそれぞれ受信して選択ビデオフレームを作成することを特徴とする請求項９または請求項１０記載の多数種ビデオ配信方法。
【請求項１２】
各ビデオフレームの拡大指示をするステップと、前記選択ビデオフレーム作成するステップは、切り出された拡大指示されたビデオフレームを拡大して画面上に配置して選択ビデオフレームを作成することを特徴とする請求項９乃至請求項１１記載の多数種ビデオ配信方法。
【請求項１３】
各ビデオフレームの縮小指示をするステップと、前記選択ビデオフレームを作成するステップは、切り出された縮小指示されたビデオフレームを縮小して画面上に配置して選択ビデオフレームを作成することを特徴とする請求項９乃至請求項１１記載の多数種ビデオ配信方法。
【請求項１４】
各ビデオフレームの一部領域を抜き出す指示をするステップと、前記選択ビデオフレームを作成するステップは、切り出された一部領域を抜き出す指示をされたビデオフレームの一部領域を抜き出して画面上に配置して選択ビデオフレームを作成することを特徴とする請求項９乃至請求項１１記載の多数種ビデオ配信方法。
【請求項１５】
各ビデオフレームの配置する座標領域を指示するステップと、前記選択ビデオフレームを作成するステップは、切り出された配置する座標領域を指示されたビデオフレームを指示した座標領域に配置して選択ビデオフレームを作成することを特徴とする請求項９乃至請求項１１記載の多数種ビデオ配信方法。
【請求項１６】
更に、前記選択ビデオフレームを表示するステップを有したことを特徴とする請求項９乃至請求項１５記載の多数種ビデオ配信方法。
【発明の詳細な説明】
【０００１】
【発明の属する技術分野】
本発明は、多数種のビデオフレームを配信して、ユーザーの指示に応じたビデオフレームを表示するビデオ配信システムに関する。
【０００２】
【従来の技術】
多数種のビデオ配信は、配信するビデオ種類数分のビデオ送信側のビデオ送信ボード、ビデオ受信側のビデオ受信ボードを設け、それぞれのビデオ送信ボードとビデオ受信ボードを配信するビデオ種類数分のケーブル等で接続することで、多数種のビデオを配信するようにしていた。
【０００３】
【特許文献１】
特開２００１−９４９５４号公報（図１）
【発明が解決しようとする課題】
上述したように、従来の多数種のビデオ配信は、配信するビデオ種類数分のビデオ送信ボード、ビデオ受信ボード及びそれぞれのビデオ送信ボードとビデオ受信ボードとを接続するケーブル等が必要となり、配信するビデオ種類数を多ければ多いほどシステム全体の物理的な接続構成が増大するという問題点を有していた。
本発明は上記事情を考慮してなされたもので、ビデオ配信システム全体の物理的接続を少なくし、かつ、ビデオ受信側で複数種のビデオ表示レイアウトを自由に設定できる多数種ビデオ配信システムを提供することを目的とする。
【０００４】
【課題を解決するための手段】
上記目標を達成するために、複数のビデオフレームを取込むビデオ取込み手段と、前記ビデオフレーム毎に予め決められた画面上の座標領域に各ビデオフレームを配置して１つの総合ビデオフレームを作成する総合画面作成手段と、前記総合ビデオフレームを送信するビデオ送信手段と、前記総合ビデオフレームを受信するビデオ受信手段と、前記総合ビデオフレームの決められた座標領域から各ビデオフレームを切り出して選択されたビデオフレームを画面上に配置して選択ビデオフレームを作成する選択画面作成手段とを具備することを特徴とする。
また、複数のビデオフレームを取込むビデオ取込み手段と、前記ビデオフレーム毎に予め決められた画面上の座標領域に各ビデオフレームを配置して１つの総合ビデオフレームを作成する総合画面作成手段と、前記総合ビデオフレームを送信するビデオ送信手段と、前記総合ビデオフレームを受信するビデオ受信手段と、ビデオフレームの表示選択を指示する指示手段と、前記総合ビデオフレームの決められた座標領域から各ビデオフレームを切り出して、前記指示手段により選択されたビデオフレームを画面上に配置して選択ビデオフレームを作成する選択画面作成手段とを具備したことを特徴とする。
【０００５】
この構成により、物理的な接続するための構成が最小限することができ、ユーザーがビデオ表示レイアウトを柔軟に設定可能となる。
更に、前記ビデオ送信手段から送信された総合ビデオフレームを複数に分配する分配手段と、複数の受信手段と選択画面作成手段とを具備し、前記分配手段により分配された総合ビデオフレームをそれぞれ前記複数の受信手段により受信してそれぞれの前記複数の選択画面手段により選択ビデオフレームを作成することを特徴とする。
この構成により、接続するための物理的な構成が最小限することができると共に、個々のユーザーがビデオ表示レイアウトを柔軟に設定可能となる。
【０００６】
【発明の実施の形態】
本発明のビデオ配信システム全体構成を図１に示す。
本発明のビデオ配信システムの構成は、総合フレーム作成装置１、選択フレーム作成装置２、指示装置３、及び表示器４とからなる。総合フレーム作成装置１は複数のビデオフレーム（ここでは４種類のビデオフレームとした）を取込み、ビデオフレーム毎に予め決められた画面上の座標領域に配置して、１つの総合ビデオフレームを作成する。作成した総合ビデオフレームを総合フレーム作成装置１から送信し、選択フレーム作成装置２で受信する。
選択フレーム作成装置２で総合ビデオフレームを受信し、総合ビデオフレームの決められた座標領域のビデオフレームを切り出し、指示装置３でユーザーがしたい加工（表示／非表示選択、拡大／縮小、ビデオフレームの一部抜き出し等）のビデオフレーム指示により加工されたビデオフレームを指示装置３によりユーザーが指示した画面位置に配置して選択ビデオフレームを作成する。さらに、選択フレーム作成装置で作成された選択ビデオフレームは表示器４により表示される。図１では、ビデオフレーム１と３を表示選択し、ビデオフレーム３を画面の右下の位置に配置した例を示した。
【０００７】
総合フレーム作成装置１の詳細について図２を用いて説明する。総合フレーム作成装置１はビデオフレーム取り込み部１１、画面作成部１２及び送信部１３とから構成される。まずビデオフレーム取り込み部で、各ビデオフレーム１〜４をそれぞれ取込む。取込まれたビデオフレーム１〜４は、それぞれ画面上の座標領域を決めておき、画面作成部１２でその決められた座標領域にそれぞれのビデオフレームを配置することで１つの総合ビデオフレームを作成する。さらに作成された総合ビデオフレームは送信部１３で送信される。
続いて、選択フレーム作成装置の詳細について図３を用いて説明する。選択フレーム作成装置２は受信部２１と画面作成部２２とから構成される。指示装置３では、ユーザーが表示したいビデオフレームを選択し、更に画面上で拡大・縮小及びビデオフレームの一部を抜き出す等の指示を出す。画面作成部２２では総合ビデオフレームの決められた座標領域からのビデオフレームを切り出し、指示装置３の指示情報に従いビデオフレームを加工（表示／非表示選択、拡大／縮小、ビデオフレームの一部抜き出し）し、画面位置にビデオフレームを配置して選択ビデオフレームが作成される。図３では、ビデオフレーム１と３を表示選択し、ビデオフレーム１の一部を抜き出して拡大し、ビデオフレーム３を拡大して画面の配置を右下にずらした例を示した。
【０００８】
ここで、本発明ビデオ配信システムを実施するための処理フローを図４に示す。
▲１▼複数のビデオフレーム（１〜４）を取り込み、▲２▼各ビデオフレーム（１〜４）を画面上の決められた座標領域に配置して統合ビデオフレームを作成し、▲３▼１つに統合された総合ビデオフレームを送信する。▲４▼総合ビデオフレームを受信し、▲５▼総合ビデオフレームの決められた座標領域から各ビデオフレームを切り出し、▲６▼切り出した各ビデオフレームをユーザーの指示通りに加工（ビデオフレームの表示／非表示選択、拡大、縮小、一部を抜き出し）を施し、▲７▼加工した各ビデオフレームをユーザーが指定した画面位置に配置（加工した各ビデオフレームが重なる場合は、ユーザー指定の優先度で表示順番を決定）することで選択ビデオフレームを作成する。この▲１▼〜▲７▼を繰り返すことで、ビデオが表示される。ちなみに
１秒間に６０フレーム走査するビデオ表示の場合、この▲１▼〜▲７▼の処理が１秒間に６０回繰り返されて、表示器４に表示される。
このため、本発明のシステム構成をとることにより、物理的な接続するための構成が最小限することができ、ユーザーがビデオ表示レイアウトを柔軟に設定可能となる。
【０００９】
更に、本発明の他の実施の形態について図５を用いて説明する。図１と同じ構成については同じ番号を付し、説明を省略する。総合フレーム作成装置１で作成した総合ビデオフレームをビデオ分配器５により複数の選択フレーム作成装置２に送信し、各選択フレーム作成装置２で総合ビデオフレームを受信して、個々のユーザーが指示装置により指示した選択フレーム作成装置毎に選択ビデオフレームが作成され、個々のユーザーが指定したビデオ表示が各表示器４により表示される。
ここで、図５に示した多数種ビデオ配信システムを実施するための処理フローを図６に示す。▲１▼複数のビデオフレーム（１〜４）を取り込み、▲２▼各ビデオフレーム（１〜４）を画面上の決められた座標領域に配置して統合ビデオフレームを作成し、▲３▼１つに統合された総合ビデオフレームを送信する。▲４▼統合された総合ビデオフレームを分配し、▲５▼各々総合ビデオフレームを受信し、▲６▼総合ビデオフレームの決められた座標領域から各ビデオフレームを切り出し、▲７▼切り出した各ビデオフレームを個々のユーザー毎の指示通りに加工（ビデオフレームの表示／非表示選択、拡大、縮小、一部を抜き出し）を施し、▲８▼加工した各ビデオフレームを個々のユーザーが指定した画面位置に配置（加工した各ビデオフレームが重なる場合は、ユーザー指定の優先度で表示順番を決定）することで選択ビデオフレームを作成する。この▲１▼〜▲８▼を繰り返すことで、ビデオが表示される。
【００１０】
このように、本発明のシステム構成をとることにより、接続するための物理的な構成が最小限することができると共に、個々のユーザーがビデオ表示レイアウトを柔軟に設定可能となる。
【００１１】
【発明の効果】
物理的接続する構成を最小限にすることができ、ユーザーがビデオ表示レイアウトを柔軟に設定可能となる。
更に、物理的接続する構成を少なくする事が可能となると共に、ビデオ分配器を通してマルチユーザに対してビデオを配信した時に、個々のユーザーがビデオ表示レイアウトを柔軟に設定可能となる。
【図面の簡単な説明】
【図１】本発明のシステム構成を示したシステム構成図。
【図２】本発明の総合フレーム作成装置の詳細を示した構成図。
【図３】本発明の選択フレーム作成装置の詳細を示した構成図。
【図４】本発明の処理フローを示したフロー図。
【図５】本発明の他のシステム構成を示したシステム構成図。
【図６】本発明の処理フローを示したフロー図。
【符号の説明】
１…総合フレーム作成装置
２…選択フレーム作成装置
３…指示装置
４…表示器
５…ビデオ分配器
１１…ビデオフレーム取込み部
１２…画面作成部
１３…送信部
２１…受信部
２２…画面作成部
【図１】
2004135017.tif 000003
【図２】
2004135017.tif 000004
【図３】
2004135017.tif 000005
【図４】
2004135017.tif 000006
【図５】
2004135017.tif 000007
【図６】
2004135017.tif 000008